(57)【特許請求の範囲】
【請求項１】
路面の表層に用いられるインターロッキングブロックやインターロッキングレンガなどのインターロッキング部材を取り外すための工法であって、上記インターロッキング部材間に位置する目地中に発泡剤充填手段を配置し、上記インターロッキング部材とその下層に位置する敷き砂との間に発泡剤を注入して上記インターロッキング部材を浮き上がらせることを特徴とする路面表層除去工法。
【発明の詳細な説明】
【０００１】
【発明の属する技術分野】
本発明は、路面表層除去工法に関し、さらに詳しくは、路面の表層に用いられているインターロッキングブロックあるいはインターロッキングレンガを取り除くための工法に関する。
【０００２】
【従来の技術】
一般に舗装道路などの表層に用いられるものの一つとして、産業廃棄物などを利用したインターロッキングブロックあるいはインターロッキングレンガが知られている。このようなインターロッキングブロックやレンガ（以下、インターロッキング部材という）は、形状や色調を適宜選択することによりパターンや色の変化に富んだ表層が得られることが利点とされている。ところで、インターロッキング部材によって表層が形成されている箇所の地中にガス管などを新設する場合がある。この場合には、表層に位置するインターロッキング部材を取り除き、路盤を掘削する作業が必要となる。このため、従来では、掘削中心部に位置するインターロッキング部材を壊したうえで隣接するインターロッキング部材を順次剥がしていく作業が行われていた。最近では、インターロッキング部材の取り外し作業として、壊すのではなく、インターロッキング部材にワイヤーロープを掛け止めし、ワイヤーロープを牽引することでインターロッキング部材を剥がす工法も提案されている。この場合には、インターロッキング部材間に設けられている目地に堆積した敷砂を除去して目地の部分に空間を設け、その空間内にインターロッキング部材を掛け止めするワイヤーロープを位置させる。
【０００３】
【発明が解決しようとする課題】
しかし、上述した工法では、次のような問題がある。インターロッキング部材を壊す工法では、壊したものと同じインターロッキング部材を即座に入手しにくいのが現状であることから、復旧までに時間がかかる。ワイヤーロープを用いた場合には、施工用装置として、ワイヤーロープは勿論のこと、牽引装置やペンチおよび目地掃き出しのための機器類などが必要となる。このため、取り外し作業だけでなく、設備の準備に時間を要したりあるいは設備が大掛かりとなる。しかも、上述したインターロッキング部材を壊す場合も含めてその部材を新たに準備した場合や上記の設備に要するコストも高くなる。
【０００４】
本発明の目的は、上記従来の表層取り外しに係る問題に鑑み、低コストでしかも簡単に復旧が可能な表層取り外しが行える路面表層除去工法を提供することにある。
【０００５】
【課題を解決するための手段】
この目的を達成するため、請求項１記載の発明は、路面の表層に用いられるインターロッキングブロックやインターロッキングレンガなどのインターロッキング部材を取り外すための工法であって、上記インターロッキング部材間に位置する目地中に発泡剤充填手段を配置し、上記インターロッキング部材とその下層に位置する敷き砂との間に発泡剤を注入して上記インターロッキング部材を浮き上がらせることを特徴としている。
【０００６】
【作用】
請求項１記載の発明では、インターロッキング部材間に位置する目地中に配置された発泡剤充填手段からの発泡剤がインターロッキング部材と敷き砂との間に注入されることで容易にインターロッキング部材を浮き上がらせて取り外すことができる。特に、目地中に発泡剤充填手段を配置することで目地をはさんで対向するインターロッキング部材同士を同時に浮き上がらせることができる。
【０００７】
【実施例】
図１は、本発明の実施例による表層除去工法が適用される路面の舗装構造を説明するための図であり、同図において、路面の表層にはインターロッキングブロックやインターロッキングレンガなどのインターロッキング部材Ａが路盤Ｂ上に充填された敷き砂Ｃ中に一部を埋没させて並列されており、各インターロッキング部材Ａ同士の間にはインターロッキング部材Ａの膨張・収縮および反り等をある程度許容するための隙間が相当する目地Ｃ１が形成されている。
【０００８】
インターロッキング部材Ａを取り外すにあたっては、図２に示すように、発泡剤を収容した発泡剤充填手段１が用いられる。発泡剤充填手段１は、シリンダで構成されており、内部に収容した発泡剤をピストンの操作によりシリンダ先端のノズル１Ａから噴出させることができる。発泡剤としては、アルミニュウムまたは亜鉛などの粉末が用いられ、これら材料がノズル１Ａから噴出される際にノズルに至る通路途中に収容されている水酸化物に接触することで発泡するようになっている。このような発泡剤としては、上記材料に代えて、大気に触れることでゲル化する性質を有した材料とすることも可能である。
【０００９】
本実施例は以上のような発泡剤充填手段１を用いてインターロッキング部材Ａを取り外す作業が行われる。
つまり、図２に示すように、発泡剤充填手段１のノズル１Ａを目地Ｃ１中に配置し、収容されている発泡剤をノズル１Ａから噴出させる。
外部に噴出された発泡剤は、目地Ｃ１内に流れ出るインターロッキング部材Ａと敷き砂Ｃとの間に浸入する。これにより、発泡剤の発泡あるいはゲル化によってインターロッキング部材Ａが敷き砂Ｃから離れる方向に浮き上がるので、敷き砂Ｃ内に一部を埋没させていたインターロッキング部材Ａが取り外し可能な状態となる。
作業者は、浮き上がったインターロッキング部材Ａの一部を取り上げるだけの作業を行えばよい。また、発泡剤の発泡状態あるいはゲル化が維持されているので、多少の時間経過後であってもインターロッキング部材Ａの取り外しが行える。
【００１０】
【発明の効果】
請求項１記載の発明によれば、インターロッキング部材間に位置する目地中に配置された発泡剤充填手段からの発泡剤がインターロッキング部材と敷き砂との間に注入されることで容易にインターロッキング部材を浮き上がらせて取り外すことができる。特に、目地中に発泡剤充填手段を配置することで目地をはさんで対向するインターロッキング部材同士を同時に浮き上がらせることができる。これにより、インターロッキング部材を壊すことなく取り外すことができるので、取り外されたインターロッキング部材を再度表層に用いることが可能となり、新たなインターロッキング部材を準備する必要がなく、復旧までの時間を短縮することができる。
さらに、作業者によって浮き上がった状態のインターロッキング部材を取り外せるので、牽引手段などの大掛かりな設備を要することなく容易に取り外し作業が行えるので、迅速かつ低コストでインターロッキング部材の取り外しが可能になる。
【図面の簡単な説明】
【図１】本発明実施例による路面表層除去工法の適用対象となるインターロッキング部材が用いられる路面表層の構造を説明するための模式図である。
【図２】本発明実施例による路面表層除去工法の一態様を説明するための模式図である。
【符号の説明】
１          発泡剤充填手段
１Ａ        ノズル
Ａ          インターロッキング部材
Ｂ          路盤
Ｃ          敷き砂
Ｃ１        敷き砂の一部が充填されている目地
【図１】
0003718061.tif 000002
【図２】
0003718061.tif 000003